(57)【要約】  【課題】電装品の保守点検作業時に該電装品へのアクセスが容易で、また電装品の保守点検作業が楽な姿勢で行え、かつ、電装品に対する防水性の優れた建設機械を提供する。  【解決手段】建設機械の各種の動作を制御するプログラムの記憶及び該建設機械の各種の動作を自己診断した診断情報が記憶される記憶部を有するコントローラを搭載した建設機械において、キャブのトリム２３の一部に前面開口部２５を設けた収納ボックス２４を備えるとともに、各種電装品用のヒューズ類を設けたヒューズボックス２８と記憶部内の内容を書き換えるための外部書き込み装置が接続される書き込み用コネクタ２９と記憶部内に記憶された診断情報を読み出すための外部読み出し装置が接続される読み出し用コネクタ３０ａ，３０ｂとが組み付けられた電装品組み付け基板２７を収納ボックス２４内に固定して取り付け、かつ、前面開口部２５に開閉自在なカバー２６を設けて成る建設機械。【選択図】図３
2010065424.tif 000002
【特許請求の範囲】
【請求項１】
建設機械の各種動作を制御するプログラムの記憶及び該建設機械の各種動作を自己診断した情報が記憶される記憶部を有するコントローラを搭載した建設機械において、
運転室の内壁の一部に開口部を設けるとともに、各種電装品用のヒューズ類を設けたヒューズボックスと前記記憶部内の内容を書き換えるための外部書き込み装置が接続される書き込み用コネクタと前記記憶部内に記憶された診断情報を読み出すための外部読み出し装置が接続される読み出し用コネクタが組み付けられた電装品組み付けブラケットを前記開口部内にキャブ本体より固定して取り付け、かつ、前記開口部に開閉自在なカバーを設けて成ることを特徴とする建設機械。
【発明の詳細な説明】
【技術分野】
【０００１】
本発明は油圧ショベル等の建設機械における電装品配設構造に関するものである。
【背景技術】
【０００２】
近年、油圧ショベル等の建設機械は電子化が進んでおり、その電子化に伴いコントローラ、ヒューズボックス等の電装品が増える傾向にある。このような建設機械では、電装品等の収納場所が課題の１つとなっている。
【０００３】
このような電装品の収納場所では、保守点検作業時のアクセスが容易で、また楽な姿勢で作業が行え、かつ、防水性が良いことが要求される。例えば、特許文献１には建設機械における電装品の収納場所として、キャブ本体を形成している後側板の外側に電装品を直接取り付けている構造が開示されている。
【特許文献１】特開２００５−１４６７４１号公報。
【発明の開示】
【発明が解決しようとする課題】
【０００４】
しかしながら、特許文献１に記載される電装品の収納構造では、キャブ本体を形成している後側板の外側に電装品を直接取り付けているので、防水性の面で問題が生じる虞があった。また、後側板の外側に電装品を直接取り付けた構造では、カバー等で外側を覆ったとしても、開閉部の小さな隙間から水滴が侵入して該水滴が内部ではね回り、電装品を短絡させたり、錆び付かせたりする問題が生じる。
【０００５】
そこで、電装品の保守点検作業時に該電装品へのアクセスが容易で、また電装品の保守点検作業が楽な姿勢で行え、かつ、電装品に対する防水性の優れた建設機械を提供するために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、建設機械の各種動作を制御するプログラムの記憶及び該建設機械の各種動作を自己診断した情報が記憶される記憶部を有するコントローラを搭載した建設機械において、運転室の内壁の一部に開口部を設けるとともに、各種電装品用のヒューズ類を設けたヒューズボックスと前記記憶部内の内容を書き換えるための外部書き込み装置が接続される書き込み用コネクタと前記記憶部内に記憶された診断情報を読み出すための外部読み出し装置が接続される読み出し用コネクタが組み付けられた電装品組み付けブラケットを前記開口部内にキャブ本体より固定して取り付け、かつ、前記開口部に開閉自在なカバーを設けて成る建設機械を提供する。
【０００７】
この構成によれば、ヒューズボックス、書き込み用コネクタ、読み出し用コネクタは同じ電装品組み付け基板に集約されて取り付けられ、これらが同じ収納ボックス内に配置されているので、収納ボックスのカバーを開けることにより、ヒューズボックス、書き込み用コネクタ、読み出し用コネクタにそれぞれアクセスすることができる。また、収納ボックスを、通常、雨等から守られている運転室の内壁の一部に設けているので防滴等からも保護される。
【発明の効果】
【０００８】
請求項１記載の発明は、運転席内壁の開口部に取り付けのカバーを開けると、ヒューズボックス、書き込み用コネクタ、読み出し用コネクタ等が露出されて簡単にアクセスすることができるので、アクセスが容易で、また同一位置において同一姿勢で作業を行うことができ、メンテナンス性が向上する。さらに、通常は雨等から守られている運転室の内壁の一部に設けているので、防水性も向上する。
【発明を実施するための最良の形態】
【０００９】
本発明は、電装品の保守点検作業時に該電装品へのアクセスが容易で、また電装品の保守点検作業が楽な姿勢で行え、かつ、電装品に対する防水性が優れた建設機械を提供するという目的を達成するために、建設機械の各種動作を制御するプログラムの記憶及び該建設機械の各種動作を自己診断した情報が記憶される記憶部を有するコントローラを搭載した建設機械において、運転室の内壁の一部に開口部を設けるとともに、各種電装品用のヒューズ類を設けたヒューズボックスと前記記憶部内の内容を書き換えるための外部書き込み装置が接続される書き込み用コネクタと前記記憶部内に記憶された診断情報を読み出すための外部読み出し装置が接続される読み出し用コネクタが組み付けられた電装品組み付けブラケットを前記開口内にキャブ本体より固定して取り付け、かつ、前記開口部に開閉自在なカバーを設けて成る構成として実現した。
【実施例】
【００１０】
以下、本発明の建設機械について、好適な実施例をあげて説明する。図１は本発明に係る建設機械の一例として示す油圧ショベルの側面図である。同図において、油圧ショベル１０は、下部走行体１１上に旋回機構１２を介して上部旋回体１３が旋回自在に載置されている。該上部旋回体１３には、その前方一側にキャブ１４が設けられ、かつ、前方中央部に作業機１５が設けられている。該作業機１５は、上部旋回体１３に俯仰動可能に取り付けられたブーム１６と、該ブーム１６の先端に上下回動自在に取り付けられたアーム１７と、該アーム１７の先端に取り付けられたバケット１８等で構成されている。
【００１１】
また、前記油圧ショベル１０には、図示しないが該油圧ショベル１０の各種の動作を制御するプログラムを記憶し、また、該プログラムに基づいて該油圧ショベル１０の各種の動作を自己診断して該診断情報を記憶しておく記憶部を有したコントローラを搭載している。
【００１２】
図２は前記キャブ１４の内部を示す斜視図である。該キャブ１４は、風雨を避けることができるように、外部空間と隔離された箱形の運転室として形成されており、図１に示す開閉ドア１９を開けて内部に出入りできるようになっている。該キャブ１４内部の底面２０には運転座席２１が設置され、該運転座席２１の前方に操作レバー２２を設けている。また、キャブ１４の内部側面には、運転座席２１を囲むようにしてトリム２３を設け、該トリム２３の一部を切り欠いて開口させ、該開口部分に図３に示すように嵌め込み枠２４を埋め込み、さらに該嵌め込み枠２４の前面開口部２５を開閉自在に塞ぐカバー２６で閉じている。なお、該カバー２６の前面は、トリム２３と区別しにくい同じ色彩として成る。
【００１３】
図３は、カバー２６を取り外して前記開口部２５の内部を示す拡大平面図であり嵌め込み枠２４が開口部に嵌め込んである。該嵌め込み枠２４は、前後面が開口された箱形の枠であり、開口の底面部には電装品組み付けブラケット２７が開口部より取り外し可能にキャブ本体より固定して設けられている。
【００１４】
前記電装品取付ブラケット２７には、ヒューズボックス２８と,書き込み用コネクタ２９と,読み出し用コネクタ３０ａ，３０ｂ等が集約して組み付けられている。該ヒューズボックス２８は、使用に伴って電装品の何れかに過電流が流れたときに断線し、該当電装品に電流が流れるのを遮断するための複数のヒューズ類が配設されたボックスである。
【００１５】
前記書き込み用コネクタ２９と読み出し用コネクタ３０ａ，３０ｂは、それぞれ前記コントローラと電気的に接続されているコネクタであって、該書き込み用コネクタ２９は、前記コントローラの記憶部内に格納されているプログラム内容を書き換えるときに、外部書き込み装置の外部コネクタを接続させるコネクタである。他方、読み出し用コネクタ３０ａ，３０ｂは、前記記憶部に格納されているプログラムに基づいて油圧ショベル１０の動作を自己診断して記憶された記憶部内の診断情報を外部から読み取るときに、外部読取装置の外部コネクタを接続させるコネクタである。
【００１６】
そして、このように構成された嵌め込み枠２４が嵌め込んである開口部２５は、図２に示すように通常はカバー２６で前面開口部２５が閉じられ、表面はトリム２３とカバー２６が一体化されている。また、保守点検等が必要となり、図３に示すようにカバー２６を取り外すと前面開口部２５が開き、該前面開口部２５にヒューズボックス２８と書き込み用コネクタ２９と読み出し用コネクタ３０ａ，３０ｂ等が各々露出する。
【００１７】
ここで、ヒューズボックス２８内のヒューズ類の点検が必要な場合はヒューズボックス２８内を点検することができる。また、前記コントローラの記憶部内に格納されているプログラム内容等を書き換える必要があるときには、外部書き込み装置の外部コネクタを書き込み用コネクタ２９に接続させると、該書き込み用コネクタ２９を介して記憶部内のプログラム内容等を書き換えることができる。さらに、コントローラの記憶部内に格納されている自己診断情報を外部から読み取る必要があるときには、外部読取装置の外部コネクタを読み出し用コネクタ３０ａ，３０ｂに接続させると、該読み出し用コネクタ３０ａ，３０ｂを介して該記憶部内の自己診断情報を読み出すことができる。なお、作業終了後、前面開口部２５にはカバー２６が取り付けられて再び閉じられる。
【００１８】
したがって、本実施例の油圧ショベル１０の構成によれば、ヒューズボックス２８、書き込み用コネクタ２９、読み出し用コネクタ３０ａ，３０ｂを同じ電装品組み付けフラケット２７に集約して取り付け、該電装品組み付けブラケット２７をキャブ１４内に設けた開口部２５の位置に配置しているので、開口部２５のカバー２６を開けると、ヒューズボックス２８、書き込み用コネクタ２９、読み出し用コネクタ３０ａ，３０ｂにそれぞれアクセスすることができるので、アクセスが容易で、また同一位置において同一姿勢で作業を行うことができ、メンテナンス性が向上することになる。さらに、通常は雨等から守られているキャブ１４内壁の一部に設けているので、防水性も向上することになる。
【００１９】
なお、本発明は、本発明の精神を逸脱しない限り種々の改変を為すことができ、そして、本発明が該改変されたものに及ぶことは当然である。
【図面の簡単な説明】
【００２０】
【図１】本発明を適用した油圧ショベルの側面図。
【図２】同上油圧ショベルにおけるキャブ内部の斜視図。
【図３】同上油圧ショベルにおける収納ボックスの内部を示す拡大平面図。
【符号の説明】
【００２１】
１０    油圧ショベル
１１    下部走行体
１２    旋回機構
１３    上部旋回体
１４    キャブ
１５    作業機
１６    ブーム
１７    アーム
１８    バケット
１９    開閉ドア
２０    底面
２１    運転座席
２２    操作レバー
２３    トリム
２４    嵌め込み枠
２５    前面開口部
２６    カバー
２７    電装品組み付けブラケット
２８    ヒューズボックス
２９    書き込み用コネクタ
３０ａ，３０ｂ    読み出し用コネクタ
【図１】
2010065424.tif 000003
【図２】
2010065424.tif 000004
【図３】
2010065424.tif 000005